(57)【特許請求の範囲】
【請求項１】
ランプと、リモコンより送信されるリモコン信号を受信する受信部と、前記受信部からの信号に応じて前記ランプの光出力を制御する制御部と、前記リモコン信号を送出する送信部を有するリモコンとを備え、
前記リモコンにて設定操作を行う場合と、前記リモコンにて送信操作を行う場合と、のそれぞれに応じて報知内容を変更する照明装置であって、前記リモコンは、前記制御部に対し設定状態の返信を求める返信要求信号を送信するものであり、前記リモコンに設けられた表示部は、前記制御部から返信された設定状態を表示する場合に点滅表示することを特徴とする照明装置。
【請求項２】
前記制御部は、前記ランプをフェードイン或いはフェードアウト中に前記リモコンから返信要求信号が送信されてきた場合に、フェードイン或いはフェードアウトを停止して前記リモコンへの返信を行うことを特徴とする請求項１に記載の照明装置。
【発明の詳細な説明】
【０００１】
【発明の属する利用分野】
本発明は照明装置に関する。
【０００２】
【従来の技術】
本発明に係る第１の従来例として特開平１１−１８５９７４号公報に示したものがあり、その模式的な構成図を図８に、制御ユニット３の模式的な底面図を図９に、ブロック構成図を図１０に、動作フローチャートを図１１、図１４に、表示部８への表示例を図１２に、リモコン５の模式的な外観図を図１３に示す。
【０００３】
本従来例は、床面からの反射光を制御ユニット３に設けた明るさセンサ１３で検知し、明るさセンサ１３の検知出力値が略一定になるように、制御ユニット３に設けられた器具制御部１５から照明器具４に設けられた安定器１６に調光信号Ｓ１を送って、照明器具４に設けられたランプ１７の光出力をフィードバック制御するものである。本従来例では、リモートコントロール（以下、リモコンと呼ぶ。）５からのリモコン信号１２を制御ユニット３に設けたリモコン受信部２で受信して、明るさセンサ１３の制御目標値を設定することができる。器具側（ここでは制御ユニット３）に、リモコン５へ器具側の動作状態（現在の動作モードや調光レベルなど）を送信するリモコン送信部１も設けている。
【０００４】
また、リモコン５は、リモコン信号１２を送信するリモコン送信部７と、明るさセンサ１３の制御目標値や明るさ目標値等を入力する操作部９と、操作部９からの入力信号に基づいてリモコン信号１２に変換等を行うリモコン制御部１８と、器具側から送信されたリモコン信号１１を受信してリモコン制御部１８へ変換及び送信するリモコン受信部６と、設定モードや動作モードや制御目標値などの器具の動作モード等の設定状態（以下、設定情報と呼ぶ。）を表示する表示部８とを設けている。
【０００５】
ここで、リモコン５の模式的な一例を図１２、図１３に示す。図１２に示すものは表示部８であり、モード選択スイッチなどで選択された動作モード（ここでは明るさセンサ設定中）と調光レベル（ここでは５０％）とが表示されている。図１２中において□印を黒く塗りつぶして図示されたものが現在の動作モードを示している。また、リモコン５には、表示部８の他に、調光ＵＰ、調光ＤＯＷＮ、モード選択、記憶、送信、確認の各スイッチ９が設けられており、各スイッチを操作することにより以下のように動作する。
調光ＵＰ：調光レベルを上げるような信号を出力する。
調光ＤＯＷＮ：調光レベルを下げるような信号を出力する。
モード選択：表示部８上の、設定中、明るさセンサ、調光上限、調光下限の各項目の選択を行う。
記憶：記憶信号を出力する。
送信：器具がモード選択スイッチで選んだ動作モードになるような信号を出力する。
確認：確認信号を出力する。
【０００６】
以下、図１１、図１４を参照して動作を簡単に説明する。
【０００７】
リモコン５からのリモコン信号１２の入力があって、そのリモコン信号１２が設定モード信号であると、各設定モード（明るさ、調光上限、調光下限などを設定するモード）に移行する。各々の設定モードに移行すると、通常のフィードバック制御モードから抜ける。設定モード信号が明るさを変化させる信号の場合には、調光レベルをｕｐ／ｄｏｗｎさせて明るさを調整する。そして、調整が完了すると、リモコン信号１２としての記憶信号により、調整完了時の明るさセンサ１３の値を制御目標値として記憶し、記憶された（設定された）明るさセンサ１３の制御目標値になるようにフィードバック制御を行う通常モードに移行する。また、リモコン５に設けられた確認スイッチを操作することによりリモコン信号としての確認信号を器具側に出力し、確認信号を受けた器具側からの返信信号によって現在の動作モードや現在の調光レベルが返信され、その返信された情報が表示部８に表示されることにより、器具の動作状態を確認する。
【０００８】
以上の様に構成することで、動作モード等の設定状態を操作者の手元などで容易に確認することができ、設定作業などの向上が可能な照明装置を提供できる。
【０００９】
なお、表示部８としては、液晶表示装置、ＬＥＤ素子、７セグメントのＬＥＤ、ＥＬ表示装置、プラズマ表示装置等を用いても、他の構成であってもよい。また、本装置は、各器具が信号線などで接続され、各器具間で情報の受け渡しを行うことにより、各器具間の連動制御が行える構成に用いてもよい。更に、用途によっては、明るさセンサ１３が無くてもよく、他のセンサ（例えば、人体検知センサ、昼光センサ）を用いてもよく、更にまた、時計やカウンタ等を用いてスケジュール制御が行える様な構成であってもよい。
【００１０】
【発明が解決しようとする課題】
しかし、前記従来例では、操作者が操作部９の操作を誤るなどによってリモコン信号１２が誤って送信されても気づかない恐れがあり、その場合には誤動作を起こしてしまう、という問題点が生じてしまう。
【００１１】
本発明は前記問題点に鑑みてなされたもので、その目的とするところは、誤動作を防止可能な照明装置を提供することである。
【００１２】
【課題を解決するための手段】
前記問題点を解決するために、請求項１記載の発明によれば、ランプと、リモコンより送信されるリモコン信号を受信する受信部と、受信部からの信号に応じてランプの光出力を制御する制御部と、リモコン信号を送出する送信部を有するリモコンとを備え、リモコンにて設定操作を行う場合と、リモコンにて送信操作を行う場合と、のそれぞれに応じて報知内容を変更する照明装置であって、前記リモコンは、前記制御部に対し設定状態の返信を求める返信要求信号を送信するものであり、前記リモコンに設けられた表示部は、前記制御部から返信された設定状態を表示する場合に点滅表示することを特徴とする。
【００１３】
請求項２記載の発明によれば、請求項１記載の照明装置において、前記制御部は、前記ランプをフェードイン或いはフェードアウト中に前記リモコンから返信要求信号が送信されてきた場合に、フェードイン或いはフェードアウトを停止して前記リモコンへの返信を行うことを特徴とする。
【００２５】
【実施の形態】
本発明に係る実施の形態のブロック構成図を図１に、リモコンの模式的な外観図を図２に、動作フローチャートを図３、図４に示す。
【００２６】
前記従来例と異なる点は、制御ユニット３にリモコン信号を受信すると点滅表示などを行うＬＥＤ表示部２１を設け、リモコン５にリモコン信号を出力する際に発音するブザー部２２を設けたことであり、その他の従来例と同一構成には同一符号を付すことにより説明を省略する。
【００２７】
ここで、リモコン５の各操作部９を以下に説明する。
送信ボタン：表示部８の設定内容に従いリモコン信号を出力する。
明暗ボタン：調光設定値表示における数値の上下を行う。また、直接調光レベルを上下させる旨のリモコン信号を出力する。
記憶ボタン：現在の動作モード等の設定状態を記憶する旨のリモコン信号を出力する。
確認ボタン：現在の動作モード等の設定状態を器具側からリモコン側へ返信（送信）させる旨のリモコン信号を出力する。
自動ボタン：明るさセンサ１３によるフィードバック制御に移行させる旨のリモコン信号を出力する。
操作ボタン：表示部８の下段左から１つ目欄に表示される操作機能表示の項目選択を行う。
シーンボタン：表示部８の下段左から２つ目欄に表示される制御状態表示の項目選択を行う。
モードボタン：表示部８の下段左から３つ目欄に表示されるセンサ入切や、負荷選択表示の項目選択を行う。
項目ボタン：表示部８の下段左から４つ目欄に表示される設定項目表示の項目選択を行う。
方法ボタン：表示部８の下段左から５つ目欄に表示される設定方法表示の項目選択を行う。
数値／明暗ボタン：設定値表示において数値表示を行わせるか否かの選択を行う。
リセットボタン：リモコン５のマイコンをリセットする。
【００２８】
以下、図３、図４を参照して動作を簡単に説明する。
【００２９】
リモコン５側では以下の様な動作を行う。操作、明暗、シーン、モード、項目、方法、数値／明暗の各ボタンの様な設定用ボタンが操作されると、ブザー部２２から音を発生させずに各ボタンに対応した動作を行う。一方、送信、明暗、記憶、確認、自動の各ボタンの様なリモコン信号送信用ボタンが操作されると、ブザー部２２から音を発生させる。但し、明暗ボタンは、各設定モード（明るさ、調光上限、調光下限などを設定するモード）中に操作を行う場合にはブザー部２２から音を発生させず、通常のフィードバック制御モード中に調光レベルの変更を行う場合にはブザー部２２から音を発生させる。
【００３０】
一方、制御ユニット３側では以下の様な動作を行う。リモコン５からのリモコン信号１２を受信すると、リモコン信号入力があったと判断してＬＥＤ表示部２１を点滅させ、リモコン信号１２の内容に応じた制御を行う。リモコン５からのリモコン信号１２を受信しなければＬＥＤ表示部２１は点滅させない。
【００３１】
以上の様に構成することにより、視覚及び聴覚でもって設定操作と送信操作とを判別することができる。
【００３２】
なお、ブザー部２２及びＬＥＤ表示部２１の代わりに、設定操作と送信操作とを判別する構成であれば何でもよい。例えば、リモコン５ではリモコン信号送信用ボタンが操作されると音を発生するように構成したが、音の代わりに光を発生しても他の手段であっても良く、また、リモコン信号送信用ボタンが操作されると音を発生する代わりに、設定用ボタンが操作されると音を発生するように構成してもよく。また、制御ユニット３ではリモコン信号１２を受信するとＬＥＤ表示部２１を点滅するように構成したが、音を発生するように構成しても構わない。
【００３３】
ここで、動作モード等の設定状態の確認作業においては、表示されるデータが、器具側から返信されたものなのか、これから設定するデータなのか等の判別がつきにくい、という問題点が生じるが、それを解決する手段を図５等を参照して以下に説明する。
【００３４】
先ず確認ボタン９を押す。リモコン５が制御ユニット３から送信されるリモコン信号１１を受信した場合、リモコン信号１１のフォーマットが正しい場合には、ブザー音パターンＡを鳴らす。ここでは「ピー」と鳴らす。リモコン信号１１を受けて表示部８には、現在の動作モード等の設定状態が表示される。
【００３５】
一方、リモコン信号１１を正常に受信しなかった場合或いはリモコン信号１１のフォーマットが間違っている場合には、ブザー音パターンＢを鳴らす。ここでは「ピッピッピッピッ」と鳴らし、その旨を表示部８に表示する。ここではＥＲＲ表示が点滅する。
【００３６】
この様に構成することにより、簡単な操作で動作モード等の設定状態を確認することができ、表示されるデータが器具側から返信されたものなのか、これから設定するデータなのか等の判別がつきやすくなる。
【００３７】
更に、表示部８において返信データを点滅させるように構成すれば（例えば、図６に示すように、確認内容表示中は調光比表示を一定時間（ここでは１０秒間点滅させる）、より簡単な操作で動作モード等の設定状態を確認することができ、表示されるデータが器具側から返信されたものなのか、これから設定するデータなのか等の判別がより簡単に行うことができる。
【００３８】
また、制御ユニット３側がフェードイン或いはフェードアウト中にリモコン５からの確認信号（返信要求信号）が送信されてきた場合、一瞬、該フェードイン或いは該フェードアウトを停止して、リモコン５への返信を行う（図７参照）。この様に構成することにより、制御ユニット３の制御状態が動的な場合にも、操作者は簡単な操作で動作モード等の設定状態を確認することができる。
【００３９】
【発明の効果】
請求項１又は２に記載の発明によれば、誤動作を防止可能な照明装置を提供できるとともに、簡単な操作で動作モード等の設定状態を確認することができ、表示されるデータが器具側から返信されたものなのか、これから設定するデータなのか等の判別がより簡単に行うことができる。
【図面の簡単な説明】
【図１】本発明に係る実施の形態のブロック構成図を示す。
【図２】本発明に係るリモコンの模式的な外観図を示す。
【図３】本発明に係る実施の形態のリモコン５側の動作フローチャートを示す。
【図４】本発明に係る実施の形態の制御ユニット３側の動作フローチャートを示す。
【図５】本発明に係る実施の形態における問題点を解決する手段の動作説明図を示す。
【図６】本発明に係る実施の形態における問題点を解決する手段の別の動作説明図を示す。
【図７】本発明に係る実施の形態における問題点を解決する手段の更に別の動作フローチャートを示す。
【図８】本発明に係る従来例の模式的な構成図を示す。
【図９】本発明に係る従来例の制御ユニット３の模式的な底面図を示す。
【図１０】本発明に係る従来例のブロック構成図を示す。
【図１１】本発明に係る従来例の動作フローチャートを示す。
【図１２】本発明に係る従来例の表示部８への表示例を示す。
【図１３】本発明に係る従来例のリモコン５の模式的な外観図を示す。
【図１４】本発明に係る従来例の動作フローチャートを示す。
【符号の説明】
１        送信部
２        受信部
３        明るさセンサ
５        リモコン
６        受信部
７        送信部
８        表示部
９        操作部
１７      ランプ
２１      ＬＥＤ表示部
２２      ブザー部
【図１】
0003849390.tif 000002
【図２】
0003849390.tif 000003
【図３】
0003849390.tif 000004
【図４】
0003849390.tif 000005
【図５】
0003849390.tif 000006
【図６】
0003849390.tif 000007
【図７】
0003849390.tif 000008
【図８】
0003849390.tif 000009
【図９】
0003849390.tif 000010
【図１０】
0003849390.tif 000011
【図１１】
0003849390.tif 000012
【図１２】
0003849390.tif 000013
【図１３】
0003849390.tif 000014
【図１４】
0003849390.tif 000015